(57)【要約】【課題】グリーン上に載置して使用する際に、プレーヤーから視認し易く、また、拾い易く、かつ興趣性に優れたゴルフ用グリーンマーカーを提供する。【解決手段】ゴルフ場のグリーンに載置される本体部１１と、前記本体部１１から斜傾して上方に向かうシート状の揺動装飾部１２とを備えるように形成し、グリーン面より上方に前記揺動装飾部１２を位置させると共に、グリーン上を流れる風等により、揺動するように形成し、視認性及び興趣性を高めた。【選択図】図３
0003184547.tif 000002
【実用新案登録請求の範囲】
【請求項１】
ゴルフ場のグリーンに載置される本体部と、前記本体部から斜傾して上方に向かうシート状の揺動装飾部とを備えることを特徴とするゴルフ用グリーンマーカー。
【請求項２】
前記揺動装飾部は、昆虫、花等の天然物装飾から形成されてなることを特徴とする請求項１に記載のゴルフ用グリーンマーカー。
【請求項３】
前記本体部は、上方に突出する摘み部を備えてなることを特徴とする請求項１又は２に記載のゴルフ用グリーンマーカー。
【請求項４】
前記揺動装飾部が摘み部であることを特徴とする請求項１乃至３の何れか一に記載のゴルフ用グリーンマーカー。
【請求項５】
前記本体部に磁石部を備えてなることを特徴とする請求項１乃至４の何れか一に記載のゴルフ用グリーンマーカー。
【請求項６】
ゴルフ用グリーンマーカーに取り付ける装飾体であって、前記ゴルフ用グリーンマーカーに取り付ける取付部と、前記ゴルフ用グリーンマーカーから斜傾して上方に向かうシート状の揺動装飾部とを備えてなることを特徴とするゴルフ用グリーンマーカー装飾体。
【請求項７】
前記揺動装飾部は、昆虫、花等の天然物装飾から形成されてなることを特徴とする請求項５に記載のゴルフ用グリーンマーカー装飾体。
【請求項８】
上方に突出する摘み部をさらに備えてなることを特徴とする請求項５又は６に記載のゴルフ用グリーンマーカー装飾体。
【請求項９】
前記揺動装飾部が摘み部であることを特徴とする請求項５乃至７の何れか一に記載のゴルフ用グリーンマーカー装飾体。
【考案の詳細な説明】
【技術分野】
【０００１】
本考案は、ゴルフ用グリーンマーカーびゴルフ用グリーンマーカー装飾体及に関するものであり、より詳しくは、ゴルフ場のグリーン上において視認性、利便性及び興趣性を高めたゴルフ用グリーンマーカー及びゴルフ用グリーンマーカー装飾体に関する。
【背景技術】
【０００２】
従来、この種のゴルフ用グリーンマーカーについては、例えば実用新案登録第３１０２８００号公報（特許文献１）に記載のものが公知である。前記公報に記載のゴルフ用グリーンマーカーは、合成樹脂等で扁平円盤形状に形成された本体部と、前記本体部から下方に突出するピン部とを備えるものである。
【０００３】
他方、実用新案登録第３１２１１８１号公報（特許文献２）に記載のような、扁平円盤形状の本体部の裏面に磁石を貼付又は埋設し、一方で、ゴルファーの帽子等に取り付ける磁性体製のクリップを用意し、前記本体部を前記クリップに着脱自在に取り付けて、容易に取り出せるように構成したゴルフ用グリーンマーカーも公知である。
【先行技術文献】
【特許文献】
【０００４】
【特許文献１】実用新案登録第３１０２８００号公報
【０００５】
【特許文献２】実用新案登録第３１２１１８１号公報
【考案の概要】
【考案が解決しようとする課題】
【０００６】
しかしながら、前記特許文献１及び２に記載された前記ゴルフ用グリーンマーカーは、いずれも、扁平円盤形状であるため、グリーン上に載置してマーキングする際に、前記ゴルフ用グリーンマーカーがグリーン面に対して略面一となり、プレーヤーから視認することが困難な場合がある。また、同様に、前記ゴルフ用グリーンマーカーは、いずれも、扁平円盤形状であるので、グリーン上から拾う場合に拾い難い場合がある。
【０００７】
本考案は、かかる点に鑑みてなされたものであり、その目的とするところは、グリーン上に載置して使用する際に、プレーヤーから視認し易く、また、拾い易く、かつ興趣性に優れると共に、グリーン上で載置された状態で、他のゴルファーがパッティングしたゴルフボールが、当たったり、その上を通過したとしても、衝突してパッティングされた前記ゴルフボールのコースを変えるようなことはないゴルフ用グリーンマーカーを提供することにある。
【０００８】
また、本考案の他の目的は、既存のゴルフ用グリーンマーカーに装着するだけで、前記ゴルフ用グリーンマーカーを形成することができるゴルフ用グリーンマーカー装飾体を提供することにある。
【０００９】
さらに、本考案の他の目的は、本体部の裏面に磁石を貼付又は埋設すると共に、ゴルファーの帽子等に取り付ける磁性体製のクリップを別途備え、前記本体部を前記クリップに着脱自在に取り付ける前記ゴルフ用グリーンマーカーにおいて、帽子等に取り付ける磁性体製のクリップから外しやすく、かつ興趣性に富むゴルフ用グリーンマーカー及びゴルフ用グリーンマーカー装飾体を提供することにある。
【課題を解決するための手段】
【００１０】
請求項１に係るゴルフ用グリーンマーカーは、ゴルフ場のグリーンに載置される本体部と、前記本体部から斜傾して上方に向かうシート状の揺動装飾部とを備えることを特徴とする。
【００１１】
請求項１に係るゴルフ用グリーンマーカーにあっては、前記本体部から斜傾して上方に向かうシート状の揺動装飾部とを備えているので、グリーン面より上方に前記揺動装飾部が位置し、視認性が向上する。さらに、前記揺動装飾部はシート状にて形成されているため、グリーン上を流れる風により、揺らいて看取され、さらに視認性及び興趣性を高めることとなる。
【００１２】
また、前記揺動装飾部は前記構成からなるため、グリーン上で載置された状態で、他のゴルファーがパッティングしたゴルフボールが、当たったり、その上を通過したとしても、前記揺動装飾部がひしゃげたり、傾到して前記ゴルフボールの下敷きとなるので、衝突により、パッティングされた前記ゴルフボールのコースを変えるようなことはない。
【００１３】
また、前記本体部の裏面に磁石を貼付又は埋設しゴルファーの帽子等に取り付ける磁性体製のクリップに着脱自在に取り付けるようにした場合には、帽子等の取り付けた状態で動作に応じて、又は風により、前記揺動装飾部が揺らいて看取され興趣性を高めることとなる。
【００１４】
請求項２に係るゴルフ用グリーンマーカーは、請求項１に記載のゴルフ用グリーンマーカーにおいて、前記揺動装飾部は、昆虫、花等の天然物装飾から形成されてなることを特徴とする。
【００１５】
請求項２に係るゴルフ用グリーンマーカーにあっては、請求項１に記載のゴルフ用グリーンマーカーに加えて、昆虫、花等の天然物装飾から形成されてなる前記揺動装飾部を備えているので、グリーン上に恰も昆虫が羽ばたいているかのように、又は花が咲いて、風で揺らめいているかのように看取され、さらに視認性が向上すると共に、興趣性を高めることとなる。
【００１６】
また、前記本体部の裏面に磁石を貼付又は埋設しゴルファーの帽子等に取り付ける磁性体製のクリップに着脱自在に取り付けるようにした場合には、帽子等に取り付けた状態で、動作に応じて、又は風により、恰も昆虫が羽ばたいているかのように、又は花が咲いて揺らめいているかのように看取され、より興趣性を高めることとなる。
【００１７】
請求項３に係るゴルフ用グリーンマーカーは、請求項１又は２に記載のゴルフ用グリーンマーカーにおいて、前記本体部は、上方に突出する摘み部を備えてなることを特徴とする。
【００１８】
請求項３に係るゴルフ用グリーンマーカーにあっては、請求項１又は２に記載のゴルフ用グリーンマーカーに加えて、前記本体部に上方に突出する摘み部を備えているので、グリーン上から拾う場合に容易に掴むことができる。
【００１９】
また、前記本体部の裏面に磁石を貼付又は埋設しゴルファーの帽子等に取り付ける磁性体製のクリップに着脱自在に取り付けるようにした場合には、帽子等に取り付ける磁性体製のクリップから容易に取り外すことができる。
【００２０】
請求項４に係るゴルフ用グリーンマーカーは、請求項１乃至３の何れか一に記載のゴルフ用グリーンマーカーにおいて、前記揺動装飾部が摘み部であることを特徴とする。
【００２１】
請求項４に係るゴルフ用グリーンマーカーにあっては、請求項１乃至３の何れか一に記載のゴルフ用グリーンマーカーに加えて、前記揺動装飾部が摘み部であるため、特に、別途摘み部を設けなくとも、前記揺動装飾部を掴めば良いので、前記ゴルフ用グリーンマーカーの構成が簡単になる。
【００２２】
請求項５に係るゴルフ用グリーンマーカーは、請求項１乃至４の何れか一に記載のゴルフ用グリーンマーカーにおいて、前記本体部に磁石部を備えてなることを特徴とする。
【００２３】
請求項５に係るゴルフ用グリーンマーカーにあっては、請求項１乃至４の何れか一に記載のゴルフ用グリーンマーカーに加えて、ゴルファーの帽子等に取り付ける磁性体製のクリップに着脱自在に取り付けることができる。
【００２４】
請求項６に係るゴルフ用グリーンマーカー装飾体は、ゴルフ用グリーンマーカーに取り付ける装飾体であって、前記ゴルフ用グリーンマーカーに取り付ける取付部と、前記ゴルフ用グリーンマーカーから斜傾して上方に向かうシート状の揺動装飾部とを備えてなることを特徴とする。
【００２５】
請求項６に係るゴルフ用グリーンマーカー装飾体にあっては、前記取付部によりゴルフ用グリーンマーカーに取りつけることができる。そして、前記取付部によりゴルフ用グリーンマーカーに取りつけた場合は、前記本体部から斜傾して上方に向かうシート状の揺動装飾部とを備えているので、グリーン面より上方で前記揺動装飾部が存置されているので、視認性が向上する。さらに、前記揺動装飾部はシート状にて形成されているため、グリーン上を流れる風により、揺らいて看取され、さらに視認性に優れると共に、興趣性を高めることとなる。
【００２６】
請求項７に係るゴルフ用グリーンマーカー装飾体は、請求項５に記載のゴルフ用グリーンマーカー装飾体において、前記揺動装飾部は、昆虫、花等の天然物装飾から形成されてなることを特徴とする。
【００２７】
請求項７に係るゴルフ用グリーンマーカー装飾体にあっては、請求項５に記載のゴルフ用グリーンマーカー装飾体に加えて、前記取付部によりゴルフ用グリーンマーカーに取りつけた場合は、昆虫、花等の天然物装飾から形成されてなる前記揺動装飾部を備えているので、グリーン上に恰も昆虫が羽ばたいているかのように、又は花が咲いて、風で揺らめいているかのように看取され、さらに視認性が向上すると共に、興趣性を高めることとなる。
【００２８】
また、前記本体部の裏面に磁石を貼付又は埋設しゴルファーの帽子等に取り付ける磁性体製のクリップに着脱自在に取り付けるようにした場合には、帽子等に取り付けた状態で、動作に応じて、又は風により、恰も昆虫が羽ばたいているかのように、又は花が咲いて揺らめいているかのように看取され、より興趣性を高めることとなる。
【００２９】
請求項８に係るゴルフ用グリーンマーカー装飾体は、請求項５又は６に記載のゴルフ用グリーンマーカー装飾体において、上方に突出する摘み部をさらに備えてなることを特徴とする。
【００３０】
請求項８に係るゴルフ用グリーンマーカー装飾体にあっては、請求項５又は６に記載のゴルフ用グリーンマーカー装飾体に加えて、前記取付部によりゴルフ用グリーンマーカーに取りつけた場合は、、グリーン上から拾う場合に容易に掴むことができる。
【００３１】
また、前記本体部の裏面に磁石を貼付又は埋設しゴルファーの帽子等に取り付ける磁性体製のクリップに着脱自在に取り付けるようにした場合には、帽子等に取り付ける磁性体製のクリップから容易に取り外すことができる。
【００３２】
請求項９に係るゴルフ用グリーンマーカー装飾体は、請求項５乃至７の何れか一に記載のゴルフ用グリーンマーカー装飾体において、前記揺動装飾部が摘み部であることを特徴とする。
【００３３】
請求項９に係るゴルフ用グリーンマーカー装飾体にあっては、請求項５乃至７の何れか一に記載のゴルフ用グリーンマーカー装飾体に加えて、前記揺動装飾部が摘み部であるため、特に、別途摘み部を設けなくとも、前記揺動装飾部を掴めば良いので、前記ゴルフ用グリーンマーカー装飾体の構成が簡単になる。
【考案の効果】
【００３４】
請求項１に記載のゴルフ用グリーンマーカーによれば、ゴルフ場のグリーンに載置される本体部と、前記本体部から斜傾して上方に向かうシート状の揺動装飾部とを備えているので、グリーン面より上方に前記揺動装飾部が位置しているので、視認性が向上する。さらに、前記揺動装飾部はシート状にて形成されているため、グリーン上を流れる風により、揺らいて看取され、さらに視認性及び興趣性を高めることとなる。
【００３５】
また、前記揺動装飾部は前記構成からなるため、グリーン上で載置された状態で、他のゴルファーがパッティングしたゴルフボールが、当たったり、その上を通過したとしても、前記揺動装飾部がひしゃげたり、傾到して前記ゴルフボールの下敷きとなるので、衝突により、パッティングされた前記ゴルフボールのコースを変えるようなことはない。
【００３６】
また、前記本体部の裏面に磁石を貼付又は埋設しゴルファーの帽子等に取り付ける磁性体製のクリップに着脱自在に取り付けるようにした場合には、帽子等の取り付けた状態で動作に応じて、又は風により、前記揺動装飾部が揺らいて看取され興趣性を高めることとなる。
【００３７】
請求項２に記載のゴルフ用グリーンマーカーによれば、請求項１に記載のゴルフ用グリーンマーカーにおいて、前記揺動装飾部は、昆虫、花等の天然物装飾から形成されているので、請求項１に記載のゴルフ用グリーンマーカーの効果に加えて、昆虫、花等の天然物装飾から形成されてなる前記揺動装飾部を備えているので、グリーン上に恰も昆虫が羽ばたいているかのように、又は花が咲いて、風で揺らめいているかのように看取され、さらに視認性が向上すると共に、興趣性を高めることとなる。
【００３８】
また、前記本体部の裏面に磁石を貼付又は埋設しゴルファーの帽子等に取り付ける磁性体製のクリップに着脱自在に取り付けるようにした場合には、帽子等に取り付けた状態で、動作に応じて、又は風により、恰も昆虫が羽ばたいているかのように、又は花が咲いて揺らめいているかのように看取され、より興趣性を高めることとなる。
【００３９】
請求項３に記載のゴルフ用グリーンマーカーによれば、請求項１又は２に記載のゴルフ用グリーンマーカーにおいて、前記本体部は、上方に突出する摘み部を備えているので、請求項１又は２に記載のゴルフ用グリーンマーカーの効果に加えて、前記本体部に上方に突出する摘み部を備えているので、グリーン上から拾う場合に容易に掴むことができる。
【００４０】
また、前記本体部の裏面に磁石を貼付又は埋設しゴルファーの帽子等に取り付ける磁性体製のクリップに着脱自在に取り付けるようにした場合には、帽子等に取り付ける磁性体製のクリップから容易に取り外すことができる。
【００４１】
請求項４に記載のゴルフ用グリーンマーカーによれば、請求項１乃至３の何れか一に記載のゴルフ用グリーンマーカーにおいて、前記揺動装飾部が摘み部であるので、請求項１乃至３の何れか一に記載のゴルフ用グリーンマーカーの効果に加えて、前記揺動装飾部が摘み部であるため、特に、別途摘み部を設けなくとも、前記揺動装飾部を掴めば良いので、前記ゴルフ用グリーンマーカーの構成が簡単になる。
【００４２】
請求項５に記載のゴルフ用グリーンマーカーによれば、請求項１乃至４の何れか一に記載のゴルフ用グリーンマーカーにおいて、前記本体部に磁石部を備えているので、請求項１乃至４の何れか一に記載のゴルフ用グリーンマーカーの効果に加えて、ゴルファーの帽子等に取り付ける磁性体製のクリップに着脱自在に取り付けることができる。
【００４３】
請求項６に記載のゴルフ用グリーンマーカー装飾体によれば、ゴルフ用グリーンマーカーに取り付ける装飾体であって、前記ゴルフ用グリーンマーカーに取り付ける取付部と、前記ゴルフ用グリーンマーカーから斜傾して上方に向かうシート状の揺動装飾部とを備えているので、前記取付部によりゴルフ用グリーンマーカーに取りつけることができる。そして、前記取付部によりゴルフ用グリーンマーカーに取りつけた場合は、前記本体部から斜傾して上方に向かうシート状の揺動装飾部とを備えているので、グリーン面より上方で前記揺動装飾部が存置されているので、視認性が向上する。さらに、前記揺動装飾部はシート状にて形成されているため、グリーン上を流れる風により、揺らいて看取され、さらに視認性に優れると共に、興趣性を高めることとなる。
【００４４】
請求項７に記載のゴルフ用グリーンマーカー装飾体によれば、請求項５に記載のゴルフ用グリーンマーカー装飾体において、前記揺動装飾部は、昆虫、花等の天然物装飾から形成されているので、請求項５に記載のゴルフ用グリーンマーカー装飾体に加えて、前記取付部によりゴルフ用グリーンマーカーに取りつけた場合は、昆虫、花等の天然物装飾から形成されてなる前記揺動装飾部を備えているので、グリーン上に恰も昆虫が羽ばたいているかのように、又は花が咲いて、風で揺らめいているかのように看取され、さらに視認性が向上すると共に、興趣性を高めることとなる。
【００４５】
また、前記本体部の裏面に磁石を貼付又は埋設しゴルファーの帽子等に取り付ける磁性体製のクリップに着脱自在に取り付けるようにした場合には、帽子等に取り付けた状態で、動作に応じて、又は風により、恰も昆虫が羽ばたいているかのように、又は花が咲いて揺らめいているかのように看取され、より興趣性を高めることとなる。
【００４６】
請求項８に記載のゴルフ用グリーンマーカー装飾体によれば、請求項５又は６に記載のゴルフ用グリーンマーカー装飾体において、上方に突出する摘み部をさらに備えているので、請求項５又は６に記載のゴルフ用グリーンマーカー装飾体に加えて、前記取付部によりゴルフ用グリーンマーカーに取りつけた場合は、、グリーン上から拾う場合に容易に掴むことができる。
【００４７】
また、前記本体部の裏面に磁石を貼付又は埋設しゴルファーの帽子等に取り付ける磁性体製のクリップに着脱自在に取り付けるようにした場合には、帽子等に取り付ける磁性体製のクリップから容易に取り外すことができる。
【００４８】
請求項９に記載のゴルフ用グリーンマーカー装飾体によれば、請求項５乃至７の何れか一に記載のゴルフ用グリーンマーカー装飾体において、前記揺動装飾部が摘み部であるので、請求項５乃至７の何れか一に記載のゴルフ用グリーンマーカー装飾体に加えて、特に、別途摘み部を設けなくとも、前記揺動装飾部を掴めば良いので、前記ゴルフ用グリーンマーカー装飾体の構成が簡単になる。
【図面の簡単な説明】
【００４９】
【図１】本考案に係るゴルフ用グリーンマーカーの平面図である。
【図２】本考案に係るゴルフ用グリーンマーカーの底面図である。
【図３】本考案に係るゴルフ用グリーンマーカーの上方からみた斜視図である。
【図４】本考案に係るゴルフ用グリーンマーカーの下方からみた斜視図である。
【図５】本考案に係るゴルフ用グリーンマーカーの平面図である。
【図６】図１に示すＡ−Ａ線断面図である。
【図７】グリーンに載置した状態を示す概略図である。
【図８】グリーンに載置したゴルフ用グリーンマーカーを把持する状態を示す概略図である。
【図９】ゴルファーのキャップに取り付けたクリップにゴルフ用グリーンマーカーを取り付けた概略図である。
【図１０】図９の要部拡大図である。
【図１１】ゴルファーのキャップに取り付けたクリップにゴルフ用グリーンマーカーを取り付けた概略側面図である。
【図１２】キャップから取り外す状態を示す概略図である。
【図１３】本考案に係るゴルフ用グリーンマーカー装飾体の正面図である。
【図１４】本考案に係るゴルフ用グリーンマーカー装飾体の平面図である。
【図１５】図１３に示すＢ−Ｂ線断面図である。
【考案を実施するための最良の形態】
【００５０】
以下、本考案に係るゴルフ用グリーンマーカー及びゴルフ用グリーンマーカー装飾体の実施形態について、図面に従って説明する。
【００５１】
図１は本考案に係るゴルフ用グリーンマーカーの平面図であり、図２は同底面図であり、図３は上方からみた斜視図であり、図４は下方からみた斜視図であり、図５は同平面図であり、図６は図１に示すＡ−Ａ線断面図である。
【００５２】
図１乃至図６において、１０は本考案に係るゴルフ用グリーンマーカーであり、ゴルフボールがグリーン上に乗った場合に、その位置をマークする場合に使用される。前記ゴルフ用グリーンマーカー１０は、鉄等の磁性を有する金属により比較的薄く円盤形状に形成される本体部１１と、前記本体部１１の上面に固着される揺動装飾部１２を有している。
【００５３】
前記揺動装飾部１２は、合成フィルムや合成紙等の合成樹脂材料を原料として製造された薄手のシート材で形成されており、本実施例においては、蝶々を形取って形成されており、例えば、シジミ蝶のような色彩模様を印刷している。そして、一対の蝶々の羽根に該当する羽根部１２ａを、前記本体部１１の上面から上方に向けて斜傾するように形成している。さらに蝶々の胴体に該当する胴体部１２ｂの裏面に接着層１４を設けて、前記接着層１４により前記本体部１１に固着している。また、前記本体部１１の裏面には薄い円盤状の磁石１５が埋設されている。
【００５４】
そして、前記揺動装飾部１２は、前記構成からなるため、摘み部１３としての機能をも有する。
【００５５】
図７はグリーンに載置した状態を示す概略図であり、図８はグリーンに載置したゴルフ用グリーンマーカーを把持する状態を示す概略図である。
【００５６】
以上の構成からなる前記ゴルフ用グリーンマーカー１０を使用する場合は、図７に示すように、先ず、グリーン上に着地し静止したゴルフボールの位置に前記ゴルフボールの替わりにマーカーとして載置する。
【００５７】
このとき、前記ゴルフ用グリーンマーカー１０は、比較的薄く円盤形状に形成される本体部１１と、前記本体部１１の上面に固着される揺動装飾部１２とから構成されているので、立体的に視認され、視認性が向上する。
【００５８】
さらに、前記揺動装飾部１２はシート状にて形成されているため、グリーン上を流れる風により、揺らいて看取され、さらに視認性が高まると共に、前記揺動装飾部は、シジミ蝶の形状模様に形成されているので、グリーン上に恰もしじみ蝶が羽ばたいているかのようにに看取され、さらに視認性が向上すると共に、興趣性を高めることとなる。
【００５９】
一方で、前記揺動装飾部１２は前記構成からなるため、グリーン上で載置された状態で、他のゴルファーがパッティングしたゴルフボールが、当たったり、その上を通過したとしても、前記揺動装飾部１２がひしゃげたり、傾到して前記ゴルフボールの下敷きとなるので、衝突により、パッティングされた前記ゴルフボールのコースを変えるようなことはない。
【００６０】
また、図８に示すように、載置した前記ゴルフ用グリーンマーカー１０をゴルフボールと入れ替える際に、前記ゴルフ用グリーンマーカー１０は、前記摘み部１３により、容易に掴むことができる。
【００６１】
図９はゴルファーのキャップに取り付けたクリップにゴルフ用グリーンマーカーを取り付けた概略図であり、図１０は図９の要部拡大図であり、図１１はゴルファーのキャップに取り付けたクリップにゴルフ用グリーンマーカーを取り付けた概略側面図であり、図１２はキャップから取り外す状態を示す概略図である。
【００６２】
図９乃至図１２において、ＣＰはゴルフ用キャップであり、ＣＬＰは前記ゴルフ用キャップＣＰに取付可能なクリップであり、長方形の板状の磁性を有する鉄等の金属により形成されており、裏面には取付用の金具が固着されている。
【００６３】
図９乃至図１２に示すように、前記クリップＣＬＰを前記ゴルフ用キャップＣＰに前記クリップＣＬＰの金具で取り付けて、前記ゴルフ用グリーンマーカー１０を磁石１５により着脱自在に取り付けて、必要なときに直ぐに取り外せるようにしている。
【００６４】
そして、図９に示すように、前記ゴルフ用グリーンマーカー１０を前記クリップＣＬＰを介して前記ゴルフ用キャップＣＰに取り付けた状態では、ゴルファーの歩行動作や風等に応じて前記揺動装飾部１２が揺らいて看取され興趣性を高めることとなる。
【００６５】
また、図１２に示すように、グリーン上で前記ゴルフ用グリーンマーカー１０を使用する際は、前記摘み部１３（前記揺動装飾部１２）を摘んで前記ゴルフ用キャップＣＰから取り外すことができるので、容易に素早く取り外すことができる。
【００６６】
図１３はゴルフ用グリーンマーカー装飾体の正面図であり、図１４は同平面図であり、図１５は図１３のＢ−Ｂ線断面図である。
【００６７】
図１３乃至図１４において、２０はゴルフ用グリーンマーカー装飾体であり、前記ゴルフ用グリーンマーカー１０における前記揺動装飾部１２と同様の構成からなる。すなわち、前記ゴルフ用グリーンマーカー装飾体２０は、合成フィルムや合成紙等の合成樹脂材料を原料として製造された薄手のシート材により、全体を蝶々（シジミ蝶）の形を模して形成されており、シジミ蝶のように色彩模様を印刷している。
【００６８】
そして、蝶々の胴体に該当する胴体部２２ｂから上方に向けて斜傾するように蝶々の羽根に該当する一対の羽根部２２ａを一体的に形成している。さらに、前記胴体部２２ｂの裏面には剥離紙２６を伴う接着層２５が形成されている。また、前記揺動装飾部２２は、前記構成からなるため、摘み部２３としての機能をも有する。
【００６９】
以上の構成からなるゴルフ用グリーンマーカー装飾体２０によれば、円盤形状等のゴルフ用グリーンマーカーの上面の前記接着層２５により固定することができ、前記ゴルフ用グリーンマーカー１０を容易に形成することができる。
【００７０】
なお、前記ゴルフ用グリーンマーカー１０及び前記ゴルフ用グリーンマーカー装飾体２０は、蝶々の形を模して形成しているが、これに限るものではなく、蝶々以外の昆虫、花等の天然物を模して形成しても良い。
【符号の説明】
【００７１】
１０    ゴルフ用グリーンマーカー
１１    本体部
１２    揺動装飾部
１２ａ  羽根部
１２ｂ  胴体部
１３    摘み部
１４    接着層
１５    磁石部
２０    ゴルフ用グリーンマーカー装飾体
２２    揺動装飾部
２２ａ  羽根部
２２ｂ  胴体部
２３    摘み部
２５    接着層
２６    剥離紙
【図１】
0003184547.tif 000003
【図２】
0003184547.tif 000004
【図３】
0003184547.tif 000005
【図４】
0003184547.tif 000006
【図５】
0003184547.tif 000007
【図６】
0003184547.tif 000008
【図７】
0003184547.tif 000009
【図８】
0003184547.tif 000010
【図９】
0003184547.tif 000011
【図１０】
0003184547.tif 000012
【図１１】
0003184547.tif 000013
【図１２】
0003184547.tif 000014
【図１３】
0003184547.tif 000015
【図１４】
0003184547.tif 000016
【図１５】
0003184547.tif 000017
【手続補正書】
【提出日】平成25年4月25日(2013.4.25)
【手続補正１】
【補正対象書類名】実用新案登録請求の範囲
【補正対象項目名】全文
【補正方法】変更
【補正の内容】
【実用新案登録請求の範囲】
【請求項１】
ゴルフ場のグリーンに載置される本体部と、前記本体部から斜傾して上方に向かうシート状の揺動装飾部とを備えることを特徴とするゴルフ用グリーンマーカー。
【請求項２】
前記揺動装飾部は、昆虫、花等の天然物装飾から形成されてなることを特徴とする請求項１に記載のゴルフ用グリーンマーカー。
【請求項３】
前記本体部は、上方に突出する摘み部を備えてなることを特徴とする請求項１又は２に記載のゴルフ用グリーンマーカー。
【請求項４】
前記揺動装飾部が摘み部であることを特徴とする請求項１乃至３の何れか一に記載のゴルフ用グリーンマーカー。
【請求項５】
前記本体部に磁石部を備えてなることを特徴とする請求項１乃至４の何れか一に記載のゴルフ用グリーンマーカー。
【請求項６】
ゴルフ用グリーンマーカーに取り付ける装飾体であって、前記ゴルフ用グリーンマーカーに取り付ける取付部と、前記ゴルフ用グリーンマーカーから斜傾して上方に向かうシート状の揺動装飾部とを備えてなることを特徴とするゴルフ用グリーンマーカー装飾体。
【請求項７】
前記揺動装飾部は、昆虫、花等の天然物装飾から形成されてなることを特徴とする請求項６に記載のゴルフ用グリーンマーカー装飾体。
【請求項８】
上方に突出する摘み部をさらに備えてなることを特徴とする請求項６又は７に記載のゴルフ用グリーンマーカー装飾体。
【請求項９】
前記揺動装飾部が摘み部であることを特徴とする請求項６乃至８の何れか一に記載のゴルフ用グリーンマーカー装飾体。